(57)【要約】【目的】天板上での作業中に作業者の足の感触で妻側端部であることを認識させるようにし、それにより作業上の安全を確保できる作業台を提供すること。【解決手段】天板１と、天板１の妻側端に設けられた支持脚３，３とからなる作業台において、天板１は、上面を作業床面２とする天板本体１ａと、天板本体１ａの妻側端部に取り付けられる端部取付部材１ｂとからなり、端部取付部材１ｂには、作業者に足の感触で妻側端部であることを認識させるために作業床面２との間に段差Ｓａを形成する凸段部４Ａが端部取付部材１ｂと一体に形成されている。【選択図】        図２
2005036416.tif 000002
【特許請求の範囲】
【請求項１】
天板と、天板の妻側端に設けられた支持脚とからなる作業台において、天板は、上面を作業床面とする天板本体と、天板本体の妻側端部に取り付けられる端部取付部材とからなるもので、端部取付部材には、作業者に足の感触で妻側端部であることを認識させるために作業床面との間に段差を形成する凸段部が端部取付部材と一体に形成されてなる作業台。
【請求項２】
天板と、天板の妻側端に設けられた支持脚とからなる作業台において、天板は、上面を作業床面とする天板本体と、天板本体の妻側端部に取り付けられる端部取付部材とからなるもので、端部取付部材及び天板本体の桁側端部には、作業者に足の感触で妻側端部及び桁側端部であることを認識させるために作業床面との間に夫々段差を形成する妻側凸段部及び桁側凸段部が端部取付部材及び天板本体と夫々一体に形成されてなる作業台。
【請求項３】
前記端部取付部材は、天板本体の妻側端部に外嵌されるように上部片と下部片と両部片をつなぐ連結部とからなる断面略々コ字状に形成されたもので、前記妻側凸段部は、天板本体の作業床面側に位置する端部取付部材の上部片によって形成される請求項１又は２に記載の作業台。
【発明の詳細な説明】
【０００１】
【発明の属する技術分野】
本発明は、天板と、この天板の妻側端に設けられた支持脚とからなる作業台に関するものである。
【０００２】
【従来の技術及びその課題】
作業者が天板の上に乗って各種作業を行う場合、作業者は、天板から足を踏み外さないよう足元の位置を確認しながら作業をしなくてはいけないと思いつつも実際の作業では天板位置、特に妻側端部の確認が難しく、その妻側端部からの足の踏み外し現象が発生し易い状況にある。
【０００３】
本発明は、上記の課題に鑑み、天板上での作業中に作業者の足の感触で妻側端部であることを認識させるようにして、作業上の安全を確保できると共に、製作が容易でコストを安くできる作業台を提供することを目的とする。
【０００４】
【課題を解決するための手段】
請求項１に係る発明は、天板１と、天板１の妻側端に設けられた支持脚３，３とからなる作業台において、天板１は、上面を作業床面２とする天板本体１ａと、天板本体１ａの妻側端部に取り付けられる端部取付部材１ｂとからなるもので、端部取付部材１ｂには、作業者に足の感触で妻側端部であることを認識させるために作業床面２との間に段差Ｓａを形成する凸段部４Ａが端部取付部材１ｂと一体に形成されてなることを特徴とする。
【０００５】
請求項２に係る発明は、天板１と、天板１の妻側端に設けられた支持脚３，３とからなる作業台において、天板１は、上面を作業床面２とする天板本体１ａと、天板本体１ａの妻側端部に取り付けられる端部取付部材１ｂとからなるもので、端部取付部材１ｂ及び天板本体１ａの桁側端部には、作業者に足の感触で妻側端部及び桁側端部であることを認識させるために作業床面２との間に夫々段差Ｓａ，Ｓｂを形成する妻側凸段部４Ａ及び桁側凸段部４Ｂが端部取付部材１ｂ及び天板本体１ａと夫々一体に形成されてなることを特徴とする。
【０００６】
請求項３は、請求項１又は２に記載の作業台において、前記端部取付部材１ｂは、天板本体１ａの妻側端部に外嵌されるように上部片１１と下部片１２と両部片１１，１２をつなぐ連結部１３，１４とからなる断面略々コ字状に形成されたもので、妻側凸段部４Ａは、天板本体１ａの作業床面２側に位置する端部取付部材１ｂの上部片１１によって形成されることを特徴とする。
【０００７】
【発明の実施の形態】
図１の（ａ）  は本発明に係る作業台の平面図、（ｂ）  は正面図、（ｃ）  は側面図である。図２の（ａ）  は図１の（ａ）  の矢印Ａで示す部分の拡大図、（ｂ）  は（ａ）  のＸ−Ｘ線拡大断面図、図３は図１の（ｂ）  の矢印Ｂで示す部分の拡大図、図４は天板本体の一部を示す斜視図である。これらの図に示すように、この作業台は、上面に横長矩形状の作業床面２を有する天板１と、この天板１の妻側端に夫々設けられた支持脚３，３とから構成される。
【０００８】
両支持脚３，３は、夫々の上端部が天板１の左右端である妻側端に回転連結金具５，５により連結されて、（ｂ）  に示すように下広がり状態に傾斜して起立した開脚姿勢と、図示は省略するが天板１の下面に略平行に沿うように折り畳んだ閉脚姿勢との間で開閉可能となっている。各支持脚３は、下広がり状に配置される両側一対の脚柱６，６と、両脚柱６，６間に複数段に取り付けられる踏桟７とからなる。なお、各脚柱６は、（ａ）  〜（ｃ）  に示すように、下端に脚端具６ａを取り付けた伸縮脚６ｂによって伸縮可能に構成されており、また天板１下面の妻側端部寄り位置と各支持脚３の最上段の踏桟７との間には、折り畳み可能な開き止め金具８が介装されている。
【０００９】
天板１は、図２及び図４から分かるように、アルミニウム合金の押し出し型材からなる天板本体１ａと、これと同様な押し出し型材からなり、天板本体１ａの左右端部である妻側端部に外嵌して固定される端部取付部材１ｂとによって構成され、天板本体１ａの上面が作業床面２とされ、そして端部取付部材１ｂには、作業者に足の感触で妻側端部であることを認識させるために図２の（ｂ）  に示すように作業床面２との間に段差を形成する凸段部４Ａが端部取付部材１ｂと一体に形成されている。端部取付部材１ｂは、天板本体１ａの妻側端部に取り付けることによって、天板本体１ａの妻側端部の外観、見栄えを良くする化粧枠として機能する。
【００１０】
天板本体１ａは、図４に示すように、２つの押し出し型材１ａ１  ，１ａ２  を接合してなるもので、両桁側端部には断面Ｌ字状の桁側枠片２１，２１が突設され、幅方向中央部には互いに接合された接合枠片２２１  ，２２２  が突設され、桁側枠片２１と接合枠片２２１  との中間部には断面Ｔ字状の補強枠片２３，２３が突設されている。
【００１１】
端部取付部材１ｂは、図２の（ｂ）から分かるように、天板本体１ａの妻側端部に外嵌されるように上部片１１と下部片１２と両部片をつなぐ連結部１３、１４とからなる断面略々コ字状のアルミニウム合金押し出し型材からなるもので、この取付部材１ｂを天板本体１ａの妻側端部に外嵌してリベット１５で結合することによって、天板本体１ａの妻側端部に取付け固定されるようになっている。この端部取付部材１ｂに形成されるところの、作業床面２との間に段差を形成する凸段部４Ａは、天板本体１ａの作業床面２上に位置する上部片１１の内側部分を肉厚に形成することによって形成される。この凸段部４Ａを形成する上部片１１の厚みは、４〜５ｍｍ程度である。つまり、この凸段部４Ａが作業床面２との間に形成する段差Ｓａ（図２の（ｂ）  及び図３参照）は４〜５ｍｍ程度である。
【００１２】
この端部取付部材１ｂは、合成樹脂材による一体成形によって形成することができる。合成樹脂材による場合、凸段部４Ａは、その合成樹脂材によって一体形成される。
【００１３】
このように、天板本体１ａの妻側端部に取り付けられる端部取付部材１ｂに、作業者に足の感触で妻側端部であることを認識させるために作業床面との間に段差を形成する凸段部４Ａを有する作業台によれば、天板１上での作業中に、作業者の足裏が凸段部４Ａに当たると、その足裏の感触によって、作業床面２における足の位置が妻側端部にあることを作業者自身が認識できるから、その妻側端部から足を踏み外すことがなくなり、作業の安全を確保することができる。
【００１４】
この場合において、凸段部４Ａが作業床面２との間に形成する段差Ｓａは４〜５ｍｍ程度であるから、作業者の足裏が凸段部４Ａに当たってつまずくようなおそれはなく、作業の安全性の点から何ら心配ないものである。
【００１５】
また、この作業台では、凸段部４Ａが端部取付部材１ｂと一体に形成されるから、凸段部４Ａを単独で製作してこれを天板１の妻側端部に取り付けるというような面倒な作業がなくなり、作業台の製作コストを安くできる。また、この場合、凸段部４Ａは、天板本体１ａの作業床面２上に位置する端部取付部材１ｂの上部片１１の内側部分を肉厚に形成することによって形成されるものであるから、凸段部４Ａの製作に特別な手間がかからず、製作が容易であると共に、端部取付部材１ｂの外観を損なうようなことがない。
【００１６】
図５は、本発明に係る他の作業台の天板１を示したもので、（ａ）  は、端部取付部材１ｂ及び天板本体１ａの桁側端部に、作業者に足の感触で妻側端部及び桁側端部であることを認識させるために作業床面２との間に夫々段差Ｓａ，Ｓｂを形成する妻側凸段部４Ａ及び桁側凸段部４Ｂが端部取付部材１ｂ及び天板本体１ａと夫々一体に形成された天板１の一部を示す。同図の（ｂ）  は（ａ）  のＹ−Ｙ線断面図である。図６の（ａ）  は図５の（ａ）  のＺ−Ｚ線拡大断面図、（ｂ）  は作業床面２と妻側凸段部４Ａとの間にスペーサー２０を挿入した例を示す（ａ）  と同様な断面図である。図７は天板本体１ａの一部を示す斜視図であり、図８は天板本体１ａの一部拡大断面図である。
【００１７】
この図５〜図７に示す作業台の天板１では、先ず、天板本体１ａに形成される桁側の凸段部４Ｂから説明する。この天板本体１ａは、図７に示すように２つのアルミ押し出し型材１ａ１  ，１ａ２  を接合してなるもので、これらアルミ押し出し型材１ａ１  ，１ａ２  の上面に形成される作業床面２の両桁側端部には、図７及び図８から分かるように、作業床面２との間に段差Ｓｂを形成する凸段部４Ｂが一体に形成されている。この段差Ｓｂは例えば３．５ｍｍ程度とされる。また、この天板本体１ａには、図７に示すように、凸段部４Ｂの外側端に断面Ｌ字状の桁側枠片２１，２１が突設され、幅方向中央部には互いに接合された接合枠片２２１  ，２２２  が突設され、桁側枠片２１と接合枠片２２１  との中間部には断面Ｔ字状の補強枠片２３，２３が突設されている。
【００１８】
上記のように作業床面２の桁側端部に凸段部４Ｂを一体に形成した天板本体１ａの妻側端部に取り付けられる端部取付部材１ｂは、図６の（ａ）  に示すように、上部片１１と下部片１２と両部片をつなぐ連結部１３、１４とからなるもので、この取付部材１ｂを天板本体１ａの妻側端部に外嵌してリベット１５で結合することにより、天板本体１ａの妻側端部に取付け固定される。しかして、この端部取付部材１ｂの上部片１１が妻側凸段部４Ａを形成し、天板本体１ａの作業床面２との間に段差Ｓａを形成する。
【００１９】
この場合、図５の（ｂ）  及び図６の（ａ）  から分かるように、端部取付部材１ｂの上部片１１が天板本体１ａの桁側凸段部４Ｂ上に乗った状態にあるから、妻側凸段部４Ａを形成する端部取付部材１ｂの上部片１１の肉厚を厚くすると、作業床面２との間の段差Ｓａが大きくなるから、その上部片１１はあまり厚くしない方がよく、例えば１．５ｍｍ程度がよい。端部取付部材１ｂの上部片１１の厚みを１．５ｍｍとすれば、天板本体１ａの桁側凸段部４Ａの段差Ｓｂが前記のように３．５ｍｍ程度であるから、妻側凸段部４Ａによって形成される作業床面２との間の段差Ｓａは、５ｍｍ程度となるから、作業者の足裏が妻側凸段部４Ａに当たってつまずくようなおそれはなく、作業の安全性の点から何ら心配がない。
【００２０】
また、上記のように端部取付部材１ｂの上部片１１が天板本体１ａの桁側凸段部４Ｂ上に乗った状態にあって、この上部片１１である妻側凸段部４Ａの下面とと天板本体１ａの作業床面２との間に図６の（ａ）  に示すように隙間ができるから、同図の（ｂ）  に示すようにスペーサー２０によってその隙間を埋めるようにしてもよい。
【００２１】
上述した図５〜図８に示す天板１のように、天板本体１ａの作業床面２の妻側端部に妻側凸段部４Ａを設けると共に、その桁側端部に桁側凸段部４Ｂを設けることによって、天板１上での作業中に、作業者の足裏が桁側凸段部４Ｂに当たれば、その足裏の感触により、足の位置が桁側端部にあることを作業者自身が認識でき、また作業者の足裏が妻側凸段部４Ａに当たれば、その足裏の感触により、足の位置が妻側端部にあることをが認識できるから、作業床面２の妻側端部及び桁側端部から足を踏み外すことがなくなり、より一層の作業の安全を確保することができる。
【００２２】
【発明の効果】
請求項１に係る発明の作業台によれば、天板上での作業中に、作業者の足裏が凸段部に当たると、その足裏の感触によって、作業床面における足の位置が妻側端部にあることを作業者自身が認識できるから、その妻側端部から足を踏み外すことがなくなり、作業の安全を確保することができる。そして、この作業台では、凸段部が端部取付部材と一体に形成されるから、凸段部を単独で製作してこれを天板の妻側端部に取り付けるというような面倒な作業がなくなり、作業台の製作が容易で、コストを安くできる。
【００２３】
請求項２に係る発明の作業台によれば、天板本体の作業床面の妻側端部及び桁側端部に夫々凸段部を設けたことによって、天板上での作業中に、作業者の足裏が凸段部に当たれば、その足裏の感触により、足の位置が妻側端部あるいは桁側端部にあることを作業者自身が認識できるから、作業床面の妻側端部及び桁側端部から足を踏み外すことがなくなり、より一層の作業の安全が確保される。
【００２４】
請求項３に係る発明の作業台によれば、端部取付部材は、天板本体の妻側端部に外嵌されるように上部片と下部片と両部片をつなぐ連結部とからなる断面略々コ字状に形成されたもので、妻側凸段部は、天板本体の作業床面上に位置する端部取付部材の上部片によって形成されるから、この妻側凸段部の製作に特別な手間がかからず、製作が容易であると共に、端部取付部材の外観を損なうようなことがない。
【図面の簡単な説明】
【図１】（ａ）  は本発明に係る作業台の平面図、（ｂ）  は正面図、（ｃ）  は側面図である。
【図２】（ａ）  は図１の（ａ）  の矢印Ａで示す部分の拡大図、（ｂ）  は（ａ）  のＸ−Ｘ線拡大断面図である。
【図３】図１の（ｂ）  の矢印Ｂで示す部分の拡大図である。
【図４】天板本体の一部を示す斜視図である。
【図５】（ａ）  は本発明に係る他の作業台の天板の一部拡大平面図、（ｂ）  は  （ａ）  のＹ−Ｙ線断面図である。
【図６】（ａ）  は図５の（ａ）  のＺ−Ｚ線拡大断面図、（ｂ）  は他の実施形態を示す（ａ）  と同様な断面図である。
【図７】天板本体の一部を示す斜視図である。
【図８】天板本体の一部拡大断面図である。
【符号の説明】
１              天板
１ａ            天板本体
１ｂ            端部取付部材
２              作業床面
３              支持脚
４Ａ            妻側凸段部
４Ｂ            桁側凸段部
Ｓａ            妻側凸段部の段差
Ｓｂ            桁側凸段部の段差
【図１】
2005036416.tif 000003
【図２】
2005036416.tif 000004
【図３】
2005036416.tif 000005
【図４】
2005036416.tif 000006
【図５】
2005036416.tif 000007
【図６】
2005036416.tif 000008
【図７】
2005036416.tif 000009
【図８】
2005036416.tif 000010